(57)【要約】【課題】  空気調和装置に封入した冷媒の量が適正か否かを正確に判別する。【解決手段】  封入した冷媒量を正確に判別するため、まず、ホットガスバイパス管１０を介してコンプレッサ２０１からアキュムレータ２１０に高温・高圧の冷媒ガスを導入して、アキュムレータ２１０内の冷媒液を排出する。次に、アキュムレータ２１０内に溜まっている冷媒液の液面高さを検出し、その高さが設定位置以下になったら（アキュムレータ２１０内が空になったら）、レシーバ２０９に残っている冷媒液の液面高さを検出する。レシーバ２０９に溜まっている液面高さが最適位置であれば、封入した冷媒量が適正であると判別する。【選択図】        図１
2005282885.tif 000002
【特許請求の範囲】
【請求項１】
コンプレッサと、凝縮器と、レシーバと、蒸発器と、アキュムレータとを有する空気調和装置において、
前記アキュムレータに溜まっている冷媒液を排出する冷媒液排出手段と、
前記アキュムレータに溜まっている冷媒液の液面高さを検出するアキュムレータ用液面高さ検出手段と、
前記レシーバに溜まっている冷媒液の液面高さを検出するレシーバ用液面高さ検出手段と、
前記冷媒排出手段を作動させてアキュムレータに溜まっている冷媒液を排出させ、前記アキュムレータ用液面検出手段によりアキュムレータに溜まっている冷媒液の液面高さが予め設定したアキュムレータ用設定高さ位置よりも低くなったと判定されたときには、前記レシーバ用液面高さ検出手段により前記レシーバに溜まっている冷媒液の液面高さを検出させ、このレシーバ用液面高さ検出手段により検出した液面高さから空気調和装置に封入した冷媒量が適正であるかどうか判別する制御部とを備えていることを特徴とする空気調和装置。
【請求項２】
請求項１において
前記冷媒液排出手段は、前記コンプレッサから吐出される高温・高圧の冷媒ガスを前記アキュムレータに送る共に電磁弁が介装されたホットガスバイパス管を有しており、
前記制御部は、前記アキュムレータに溜まっている冷媒液を排出させる際には、前記ホットガスバイパス管に介装さている電磁弁を開とすることを特徴とする空気調和装置。
【請求項３】
請求項１において
前記冷媒液排出手段は、前記コンプレッサから吐出される高温・高圧の冷媒ガスを前記アキュムレータに送る共に電磁弁が介装されたホットガスバイパス管と、
前記アキュムレータの底部に溜まった冷媒液を前記コンプレッサの低圧側に送ると共に電磁弁が介装された液抜き管を有しており、
前記制御部は、前記アキュムレータに溜まっている冷媒液を排出させる際には、前記ホットガスバイパス管に介装されている電磁弁を開とすると共に、前記液抜き管に介装されている電磁弁を開とすることを特徴とする空気調和装置。
【請求項４】
請求項１において、
前記アキュムレータ用液面高さ検出手段は、前記アキュムレータのうち予め設定したアキュムレータ用設定高さ位置と前記コンプレッサの低圧側とを接続すると共に電磁弁が介装された液面高さ検出管と、
前記液面高さ検出管に配置されておりこの液面高さ検出管に流れる冷媒を加熱する加熱源と、
前記液面高さ検出管のうち前記加熱源が配置されている位置よりもコンプレッサ側に取り付けられて液面高さ検出管を流れる冷媒の温度を検出する温度センサと、
前記コンプレッサの低圧側の冷媒ガスの圧力を検出する圧力センサを有しており、
前記制御部は、前記アキュムレータに溜まっている冷媒液の液面高さを検出する際には、液面高さ検出管に介装した電磁弁を開とし、前記温度センサで検出した温度と、前記圧力センサで検出した圧力データを換算して得た圧力飽和温度との差である加熱度を求め、求めた加熱度が予め設定した設定加熱度よりも小さいときには、アキュムレータに残っている冷媒液の液面高さがアキュムレータ用設定高さ位置以上であると判定し、求めた加熱度が予め設定した設定加熱度よりも大きいときには、アキュムレータに残っている冷媒液の液面高さがアキュムレータ用設定高さ位置未満であると判定することを特徴とする空気調和装置。
【請求項５】
請求項１において、
前記アキュムレータ用液面高さ検出手段は、前記アキュムレータのうち予め設定したアキュムレータ用設定高さ位置と前記コンプレッサの低圧側とを接続すると共に電磁弁が介装された液面高さ検出管と、
前記液面高さ検出管に配置されておりこの液面高さ検出管に流れる冷媒を加熱する加熱源と、
前記液面高さ検出管のうち前記加熱源が配置されている位置よりもコンプレッサ側に取り付けられて液面高さ検出管を流れる冷媒の温度を検出する下流側の温度センサと、
前記液面高さ検出管のうち前記加熱源が配置されている位置よりもアキュムレータ側に取り付けられて液面高さ検出管を流れる冷媒の温度を検出する上流の温度センサを有しており、
前記制御部は、前記アキュムレータに溜まっている冷媒液の液面高さを検出する際には、液面高さ検出管に介装した電磁弁を開とし、下流側の温度センサで検出した温度と、上流側の温度センサで検出した温度との差である加熱度を求め、求めた加熱度が予め設定した設定加熱度よりも小さいときには、アキュムレータに残っている冷媒液の液面高さがアキュムレータ用設定高さ位置以上であると判定し、求めた加熱度が予め設定した設定加熱度よりも大きいときには、アキュムレータに残っている冷媒液の液面高さがアキュムレータ用設定高さ位置未満であると判定することを特徴とする空気調和装置。
【請求項６】
請求項１において、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して前記液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記配管のうち前記液ガス熱交換器よりも蒸発器側に備えられて前記配管を流れる冷媒の温度を検出する温度センサと、
前記コンプレッサの高圧側の冷媒ガスの温度を検出する圧力センサを有しており、
前記制御部は、前記レシーバに溜まっている冷媒液の液面高さが適正であるかどうかを判定する際には、前記電磁弁を開とし、前記温度センサで検出した温度と、前記圧力センサで検出した圧力データを換算して得た圧力飽和温度との差である過冷却度を求め、求めた過冷却度が予め決めた設定過冷却度範囲に入っているときには、レシーバに適正量の冷媒液が溜まっていると判定し、求めた過冷却度が予め決めた設定過冷却度範囲に入らなかったら、レシーバに適正量の冷媒液が溜まっていないと判定することを特徴とする空気調和装置。
【請求項７】
請求項１において、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記配管のうち前記液ガス熱交換器よりも蒸発器側に備えられて前記配管を流れる冷媒の温度を検出する下流側の温度センサと、
前記配管のうち前記液ガス熱交換器よりもレシーバ側に備えられて前記配管を流れる冷媒の温度を検出する上流側の温度センサを有しており、
前記制御部は、前記レシーバに溜まっている冷媒液の液面高さが適正であるかどうかを判定する際には、前記電磁弁を開とし、下流側の温度センサで検出した温度と、上流側の温度センサで検出した温度との差である過冷却度を求め、求めた過冷却度が予め決めた設定過冷却度範囲に入っているときには、レシーバに適正量の冷媒液が溜まっていると判定し、求めた過冷却度が予め決めた設定過冷却度範囲に入らなかったら、レシーバに適正量の冷媒液が溜まっていないと判定することを特徴とする空気調和装置。
【請求項８】
請求項１において、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記レシーバのうち予め設定したレシーバ用設定高さ位置と、前記液ガス熱交換管のうち電磁弁と液ガス熱交換器との間の位置とを接続すると共に、電磁弁が介装された液面高さ検出管と、
前記配管のうち前記液ガス熱交換器よりも蒸発器側に備えられて前記配管を流れる冷媒の温度を検出する温度センサと、
前記コンプレッサの高圧側の冷媒ガスの温度を検出する圧力センサを有しており、
前記制御部は、前記レシーバに溜まっている冷媒液の液面高さが適正であるかどうかを判定する際には、前記液ガス熱交換管に介装した電磁弁を閉とし前記液面高さ検出管に介装した電磁弁を開とし、前記温度センサで検出した温度と、前記圧力センサで検出した圧力データを換算して得た圧力飽和温度との差である過冷却度を求め、求めた過冷却度が予め決めた設定過冷却度範囲に入っているときには、レシーバに溜まっている冷媒液の液面高さがレシーバ用液面高さ設定位置以上であると判定し、求めた過冷却度が予め決めた設定過冷却度範囲に入らなかったら、レシーバに溜まっている冷媒液の液面高さがレシーバ用液面高さ設定位置未満であると判定することを特徴とする空気調和装置。
【請求項９】
請求項１において、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記レシーバのうち予め設定したレシーバ用設定高さ位置と、前記液ガス熱交換管のうち電磁弁と液ガス熱交換器との間の位置とを接続すると共に、電磁弁が介装された液面高さ検出管と、
前記配管のうち前記液ガス熱交換器よりも蒸発器側に備えられて前記配管を流れる冷媒の温度を検出する下流側の温度センサと、
前記配管のうち前記液ガス熱交換器よりもレシーバ側に備えられて前記配管を流れる冷媒の温度を検出する上流側の温度センサを有しており、
前記制御部は、前記レシーバに溜まっている冷媒液の液面高さが適正であるかどうかを判定する際には、前記液ガス熱交換管に介装した電磁弁を閉とし前記液面高さ検出管に介装した電磁弁を開とし、下流側の温度センサで検出した温度と、上流側の温度センサで検出した温度との差である過冷却度を求め、求めた過冷却度が予め決めた設定過冷却度範囲に入っているときには、レシーバに溜まっている冷媒液の液面高さがレシーバ用液面高さ設定位置以上であると判定し、求めた過冷却度が予め決めた設定過冷却度範囲に入らなかったら、レシーバに溜まっている冷媒液の液面高さがレシーバ用液面高さ設定位置未満であると判定することを特徴とする空気調和装置。
【請求項１０】
請求項１において、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して前記液ガス熱交換器を貫通してコンプレッサの低圧側に接続されていると共に、前記配管から分岐した位置と前記液ガス熱交換器を貫通する位置の間には分岐位置側に電磁弁が介装され液ガネ熱交換器側には電磁膨張弁が介装された液ガス熱交換管と、
前記液ガス熱交換管のうち前記液ガス熱交換器よりもコンプレッサ低圧側に備えられて前記液ガス熱交換管を流れる冷媒の温度を検出する温度センサと、
前記コンプレッサの低圧側の冷媒ガスの温度を検出する圧力センサを有しており、
前記制御部は、前記レシーバに溜まっている冷媒液の液面高さが適正であるかどうかを判定する際には、前記電磁弁を開とし、前記温度センサで検出した温度と、前記圧力センサで検出した圧力データを換算して得た圧力飽和温度との差である過熱度を求め、求めた過熱度が予め決めた設定過熱度になるように、前記電磁膨張弁の開度調整をし、電磁膨張弁の開度が全開にならない状態で且つ求めた過熱度が予め決めた設定過熱度になったら、レシーバに適正量の冷媒液が溜まっていると判定し、電磁膨張弁の開度が全開になっても求めた過熱度が予め決めた設定過熱度にならなかったら、レシーバに適正量の冷媒液が溜まっていないと判定することを特徴とする空気調和装置。
【請求項１１】
請求項１において、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して前記液ガス熱交換器を貫通してコンプレッサの低圧側に接続されていると共に、前記配管から分岐した位置と前記液ガス熱交換器を貫通する位置の間には分岐位置側に電磁弁が介装され液ガネ熱交換器側には電磁膨張弁が介装された液ガス熱交換管と、
前記レシーバのうち予め設定したレシーバ用設定高さ位置と、前記液ガス熱交換管のうち電磁弁と電磁膨張弁との間の位置とを接続すると共に、電磁弁が介装された液面高さ検出管と、
前記液ガス熱交換管のうち前記液ガス熱交換器よりもコンプレッサ低圧側に備えられて前記液ガス熱交換管を流れる冷媒の温度を検出する温度センサと、
前記コンプレッサの低圧側の冷媒ガスの温度を検出する圧力センサを有しており、
前記制御部は、前記レシーバに溜まっている冷媒液の液面高さが適正であるかどうかを判定する際には、液ガス熱交換管に介装した電磁弁を閉とし液面高さ検出管に介装した電磁弁を開とし、前記温度センサで検出した温度と、前記圧力センサで検出した圧力データを換算して得た圧力飽和温度との差である過熱度を求め、求めた過熱度が予め決めた設定過熱度になるように、前記電磁膨張弁の開度調整をし、電磁膨張弁の開度が全開にならない状態で且つ求めた過熱度が予め決めた設定過熱度になったら、レシーバに溜まっている冷媒液の液面高さがレシーバ用液面高さ設定位置以上であると判定し、電磁膨張弁の開度が全開になっても求めた過熱度が予め決めた設定過熱度にならなかったら、レシーバに溜まっている冷媒液の液面高さがレシーバ用液面高さ設定位置未満であると判定することを特徴とする空気調和装置。
【発明の詳細な説明】
【技術分野】
【０００１】
本発明は、アキュムレータとレシーバを持つ空気調和装置において、適正な冷媒量でもって運転が行われているかどうかを判定することができるように工夫したものである。
【背景技術】
【０００２】
冷暖房（空調）をする装置として空気調和装置がある。図５はアキュムレータとレシーバを備えた従来の空気調和装置の構成を示すブロック構成図である。図５に示すように、空気調和装置は、室内機１００と室外機２００とを、冷媒配管により接続して構成されている。
【０００３】
室内機１００は、熱交換器１０１と、キャピラリ１０２と、逆止弁１０３と、膨張弁１０４と、キャピラリ１０５を有している。
【０００４】
室外機２００は、コンプレッサ２０１と、オイルセパレータ２０２と、キャピラリ２０３と、四方切換弁２０４と、熱交換器２０５と、逆止弁２０６と、膨張弁２０７と、キャピラリ２０８と、レシーバ２０９と、アキュムレータ２１０と、電磁弁２１１と、キャピラリ２１２と、電磁弁２１３と、キャピラリ２１４と、液ガス熱交換器２１５等を有している。
【０００５】
ここで冷媒の流れを冷房時と暖房時とに分けて説明すると共に、各部分の機能を併せて説明する。
【０００６】
冷房時には、四方切換弁２０４の切り換えにより、図５中に実線の矢印で示す経路に沿い冷媒を流し、室外機２００側の熱交換器２０５を凝縮器として機能させ、室内機１００側の熱交換器１０１を蒸発器として機能させる。
【０００７】
冷房時には、コンプレッサ２０１にて圧縮された高温・高圧の冷媒ガスは、吐出管Ｌ１及びオイルセパレータ２０２を介して四方切換弁２０４に送られてから熱交換器２０５に供給される。このとき、オイルセパレータ２０２は、高温・高圧の冷媒ガス中に含まれている潤滑油を分離し、分離した潤滑油をキャピラリ２０３を介してコンプレッサ２０１に戻している。
【０００８】
冷媒ガスは凝縮器として機能する熱交換器２０５にて凝縮・液化して高温の冷媒液となる。この冷媒液は、逆止弁２０６及びキャピラリ２０８を通ってレシーバ２０９に送られる。レシーバ２０９では気液分離が行われ、液体のみが膨張弁１０４に供給される。
【０００９】
レシーバ２０９から送られた冷媒液の殆どは、液ガス熱交換器２１５を経由して膨張弁１０４に送られるが、冷媒液の一部は分岐して電磁弁２１３及びキャピラリ２１４を経由して、液ガス熱交換器２１５にて熱交換（加熱）されて冷媒ガスとなり、この冷媒ガスはアキュムレータ２１０に送られる。
レシーバ２０９から液ガス熱交換器２１５を経由して膨張弁１０４に送られる冷媒液は、液ガス熱交換器２１５を通過する際に熱交換して（放熱して）冷却される。
【００１０】
冷媒液は膨張弁１０４を通過する際に膨張して気液混合状態となって、蒸発器として機能する熱交換器１０１に送られて蒸発する。このとき熱交換器１０１にて空気と熱交換が行われて冷房ができる。蒸発ガス化されたため、液化した冷媒液を含む冷媒ガス（気液混合状態となっている冷媒ガス）は、四方切換弁２０４を介してアキュムレータ２１０に至る。アキュムレータ２１０では気液分離が行われ、冷媒ガスのみが吸入管Ｌ２を介してコンプレッサ２０１の低圧部に戻る。
【００１１】
なお、アキュムレータ２１０の底部に溜まった潤滑油と冷媒液の混合液は、配管Ｌ３に備えた電磁弁２１１及びキャピラリ２１２を介してコンプレッサ２０１の低圧部に戻るようになっている。なお配管Ｌ３は吸入管Ｌ２に比べて細い管となっている。
【００１２】
コンプレッサ２０１の内部空間底部（低圧部の底部）には、潤滑油が封入されている。
【００１３】
暖房時には、四方切換弁２０４の切り換えにより、図５中に点線の矢印で示す経路に沿い冷媒を流し、室外機２００側の熱交換器２０５を蒸発器として機能させ、室内機１００側の熱交換器１０１を凝縮器として機能させる。
【００１４】
暖房時には、コンプレッサ２０１にて圧縮された高温・高圧の冷媒ガスは、吐出管Ｌ１及びオイルセパレータ２０２を介して四方切換弁２０４に送られてから熱交換器１０１に供給される。
【００１５】
冷媒ガスは凝縮器として機能する熱交換器１０１にて凝縮・液化して高温の冷媒液となる。このとき熱交換器１０１にて空気と熱交換が行われて暖房ができる。この冷媒液は、キャピラリ１０２及び逆止弁１０３更には液ガス熱交換器２１５を通ってレシーバ２０９に送られる。レシーバ２０９では気液分離が行われ、液体のみが膨張弁２０７に供給される。
【００１６】
冷媒液は膨張弁２０７を通過する際に膨張して気液混合状態となって、蒸発器として機能する熱交換器２０５に送られて蒸発する。蒸発ガス化されたため、液化した冷媒液を含む冷媒ガス（気液混合状態となっている冷媒ガス）は、四方切換弁２０４を介してアキュムレータ２１０に至る。アキュムレータ２１０では気液分離が行われ、冷媒ガスのみがコンプレッサ２０１に戻る。
【００１７】
【特許文献１】特開平１１−１８２９９０
【発明の開示】
【発明が解決しようとする課題】
【００１８】
ところで、図５に示すような、アキュムレータ２１０とレシーバ２０９を有する空気調和装置において、コンプレッサ２０１の低圧部の加熱度を一定にして運転しているときに（通常運転ではこのような条件にして運転している）、冷暖房サイクルの全体の冷媒量が適正になっているかどうかを判別するには、レシーバ２０９に溜まった冷媒液の液面高さが適正液位になっているかどうかを検出することにより行うのが一般的である。
【００１９】
しかし、従来では単に、レシーバ２０９に溜まった冷媒液の液面高さのみを検出しているのみで、アキュムレータ２１０に冷媒液が溜まっているかどうかを考慮していなかった。したがって、冷媒量が適正であるかどうかを正確に判定することができないことがあった。
【００２０】
例えば、レシーバ２０９に溜まった冷媒液の液面高さが適正液位になっていたとしても、このとき、アキュムレータ２１０に多量の冷媒液が溜まっていたとすると、冷暖房サイクル全体としては冷媒量が過剰で適正量よりも多いにもかかわらず、適正量であると誤判別してしまう虞があった。
【００２１】
本発明は、上記従来技術に鑑み、冷媒量が適正であるか否かを判別することができる空気調和装置を提供することを目的とする。
【課題を解決するための手段】
【００２２】
上記課題を解決する本発明の構成は、
コンプレッサと、凝縮器と、レシーバと、蒸発器と、アキュムレータとを有する空気調和装置において、
前記アキュムレータに溜まっている冷媒液を排出する冷媒液排出手段と、
前記アキュムレータに溜まっている冷媒液の液面高さを検出するアキュムレータ用液面高さ検出手段と、
前記レシーバに溜まっている冷媒液の液面高さを検出するレシーバ用液面高さ検出手段と、
前記冷媒排出手段を作動させてアキュムレータに溜まっている冷媒液を排出させ、前記アキュムレータ用液面検出手段によりアキュムレータに溜まっている冷媒液の液面高さが予め設定したアキュムレータ用設定高さ位置よりも低くなったと判定されたときには、前記レシーバ用液面高さ検出手段により前記レシーバに溜まっている冷媒液の液面高さを検出させ、このレシーバ用液面高さ検出手段により検出した液面高さから空気調和装置に封入した冷媒量が適正であるかどうか判別する制御部とを備えていることを特徴とする。
【００２３】
また本発明の構成は、
前記冷媒液排出手段は、前記コンプレッサから吐出される高温・高圧の冷媒ガスを前記アキュムレータに送る共に電磁弁が介装されたホットガスバイパス管を有しており、
前記制御部は、前記アキュムレータに溜まっている冷媒液を排出させる際には、前記ホットガスバイパス管に介装さている電磁弁を開とすることを特徴とする。
【００２４】
また本発明の構成は、
前記冷媒液排出手段は、前記コンプレッサから吐出される高温・高圧の冷媒ガスを前記アキュムレータに送る共に電磁弁が介装されたホットガスバイパス管と、
前記アキュムレータの底部に溜まった冷媒液を前記コンプレッサの低圧側に送ると共に電磁弁が介装された液抜き管を有しており、
前記制御部は、前記アキュムレータに溜まっている冷媒液を排出させる際には、前記ホットガスバイパス管に介装されている電磁弁を開とすると共に、前記液抜き管に介装されている電磁弁を開とすることを特徴とする。
【００２５】
また本発明の構成は，
前記アキュムレータ用液面高さ検出手段は、前記アキュムレータのうち予め設定したアキュムレータ用設定高さ位置と前記コンプレッサの低圧側とを接続すると共に電磁弁が介装された液面高さ検出管と、
前記液面高さ検出管に配置されておりこの液面高さ検出管に流れる冷媒を加熱する加熱源と、
前記液面高さ検出管のうち前記加熱源が配置されている位置よりもコンプレッサ側に取り付けられて液面高さ検出管を流れる冷媒の温度を検出する温度センサと、
前記コンプレッサの低圧側の冷媒ガスの圧力を検出する圧力センサを有しており、
前記制御部は、前記アキュムレータに溜まっている冷媒液の液面高さを検出する際には、液面高さ検出管に介装した電磁弁を開とし、前記温度センサで検出した温度と、前記圧力センサで検出した圧力データを換算して得た圧力飽和温度との差である加熱度を求め、求めた加熱度が予め設定した設定加熱度よりも小さいときには、アキュムレータに残っている冷媒液の液面高さがアキュムレータ用設定高さ位置以上であると判定し、求めた加熱度が予め設定した設定加熱度よりも大きいときには、アキュムレータに残っている冷媒液の液面高さがアキュムレータ用設定高さ位置未満であると判定することを特徴とする。
【００２６】
また本発明の構成は、
前記アキュムレータ用液面高さ検出手段は、前記アキュムレータのうち予め設定したアキュムレータ用設定高さ位置と前記コンプレッサの低圧側とを接続すると共に電磁弁が介装された液面高さ検出管と、
前記液面高さ検出管に配置されておりこの液面高さ検出管に流れる冷媒を加熱する加熱源と、
前記液面高さ検出管のうち前記加熱源が配置されている位置よりもコンプレッサ側に取り付けられて液面高さ検出管を流れる冷媒の温度を検出する下流側の温度センサと、
前記液面高さ検出管のうち前記加熱源が配置されている位置よりもアキュムレータ側に取り付けられて液面高さ検出管を流れる冷媒の温度を検出する上流の温度センサを有しており、
前記制御部は、前記アキュムレータに溜まっている冷媒液の液面高さを検出する際には、液面高さ検出管に介装した電磁弁を開とし、下流側の温度センサで検出した温度と、上流側の温度センサで検出した温度との差である加熱度を求め、求めた加熱度が予め設定した設定加熱度よりも小さいときには、アキュムレータに残っている冷媒液の液面高さがアキュムレータ用設定高さ位置以上であると判定し、求めた加熱度が予め設定した設定加熱度よりも大きいときには、アキュムレータに残っている冷媒液の液面高さがアキュムレータ用設定高さ位置未満であると判定することを特徴とする。
【００２７】
また本発明の構成は、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して前記液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記配管のうち前記液ガス熱交換器よりも蒸発器側に備えられて前記配管を流れる冷媒の温度を検出する温度センサと、
前記コンプレッサの高圧側の冷媒ガスの温度を検出する圧力センサを有しており、
前記制御部は、前記レシーバに溜まっている冷媒液の液面高さが適正であるかどうかを判定する際には、前記電磁弁を開とし、前記温度センサで検出した温度と、前記圧力センサで検出した圧力データを換算して得た圧力飽和温度との差である過冷却度を求め、求めた過冷却度が予め決めた設定過冷却度範囲に入っているときには、レシーバに適正量の冷媒液が溜まっていると判定し、求めた過冷却度が予め決めた設定過冷却度範囲に入らなかったら、レシーバに適正量の冷媒液が溜まっていないと判定することを特徴とする。
【００２８】
また本発明の構成は、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記配管のうち前記液ガス熱交換器よりも蒸発器側に備えられて前記配管を流れる冷媒の温度を検出する下流側の温度センサと、
前記配管のうち前記液ガス熱交換器よりもレシーバ側に備えられて前記配管を流れる冷媒の温度を検出する上流側の温度センサを有しており、
前記制御部は、前記レシーバに溜まっている冷媒液の液面高さが適正であるかどうかを判定する際には、前記電磁弁を開とし、下流側の温度センサで検出した温度と、上流側の温度センサで検出した温度との差である過冷却度を求め、求めた過冷却度が予め決めた設定過冷却度範囲に入っているときには、レシーバに適正量の冷媒液が溜まっていると判定し、求めた過冷却度が予め決めた設定過冷却度範囲に入らなかったら、レシーバに適正量の冷媒液が溜まっていないと判定することを特徴とする。
【００２９】
また本発明の構成は、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記レシーバのうち予め設定したレシーバ用設定高さ位置と、前記液ガス熱交換管のうち電磁弁と液ガス熱交換器との間の位置とを接続すると共に、電磁弁が介装された液面高さ検出管と、
前記配管のうち前記液ガス熱交換器よりも蒸発器側に備えられて前記配管を流れる冷媒の温度を検出する温度センサと、
前記コンプレッサの高圧側の冷媒ガスの温度を検出する圧力センサを有しており、
前記制御部は、前記レシーバに溜まっている冷媒液の液面高さが適正であるかどうかを判定する際には、前記液ガス熱交換管に介装した電磁弁を閉とし前記液面高さ検出管に介装した電磁弁を開とし、前記温度センサで検出した温度と、前記圧力センサで検出した圧力データを換算して得た圧力飽和温度との差である過冷却度を求め、求めた過冷却度が予め決めた設定過冷却度範囲に入っているときには、レシーバに溜まっている冷媒液の液面高さがレシーバ用液面高さ設定位置以上であると判定し、求めた過冷却度が予め決めた設定過冷却度範囲に入らなかったら、レシーバに溜まっている冷媒液の液面高さがレシーバ用液面高さ設定位置未満であると判定することを特徴とする。
【００３０】
また本発明の構成は、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して液ガス熱交換器を貫通してコンプレッサの低圧側に接続されていると共に、前記配管から分岐した位置と前記液ガス熱交換器を貫通する位置の間に電磁弁が介装された液ガス熱交換管と、
前記レシーバのうち予め設定したレシーバ用設定高さ位置と、前記液ガス熱交換管のうち電磁弁と液ガス熱交換器との間の位置とを接続すると共に、電磁弁が介装された液面高さ検出管と、
前記配管のうち前記液ガス熱交換器よりも蒸発器側に備えられて前記配管を流れる冷媒の温度を検出する下流側の温度センサと、
前記配管のうち前記液ガス熱交換器よりもレシーバ側に備えられて前記配管を流れる冷媒の温度を検出する上流側の温度センサを有しており、
前記制御部は、前記レシーバに溜まっている冷媒液の液面高さが適正であるかどうかを判定する際には、前記液ガス熱交換管に介装した電磁弁を閉とし前記液面高さ検出管に介装した電磁弁を開とし、下流側の温度センサで検出した温度と、上流側の温度センサで検出した温度との差である過冷却度を求め、求めた過冷却度が予め決めた設定過冷却度範囲に入っているときには、レシーバに溜まっている冷媒液の液面高さがレシーバ用液面高さ設定位置以上であると判定し、求めた過冷却度が予め決めた設定過冷却度範囲に入らなかったら、レシーバに溜まっている冷媒液の液面高さがレシーバ用液面高さ設定位置未満であると判定することを特徴とする。
【００３１】
また本発明の構成は、
前記レシーバ用液面高さ検出手段は、
前記レシーバと前記蒸発器とを接続する配管中に介装されている液ガス熱交換器と、
前記配管のうちレシーバと前記液ガス熱交換器との間の位置から分岐して前記液ガス熱交換器を貫通してコンプレッサの低圧側に接続されていると共に、前記配管から分岐した位置と前記液ガス熱交換器を貫通する位置の間には分岐位置側に電磁弁が介装され液ガネ熱交換器側には電磁膨張弁が介装された液ガス熱交換管と、
前記液ガス熱交換管のうち前記液ガス熱交換器よりもコンプレッサ低圧側に備えられて前記液ガス熱交換管を流れる冷媒の温度を検出する温度センサと、
前記コンプレッサの低圧側の冷媒ガスの温度を検出する圧力センサを有しており、
前記制御部は、前記レシーバに溜まっている冷媒液の液面高さが適正であるかどうかを判定する際には、前記電磁弁を開とし、前記温度センサで検出した温度と、前記圧力センサで検出した圧力データを換算して得た圧力飽和温度との差である過熱度を求め、求めた過熱度が予め決めた設定過熱度になるように、前記電磁膨張弁の開度調整をし、電磁膨張弁の開度が全開にならない状態で且つ求めた過熱度が予め決めた設定過熱度になったら、レシーバに適正量の冷媒液が溜まっていると判定し、電磁膨張弁の開度が全開になっても求めた過熱度が予め決めた設定過熱度にならなかったら、レシーバに適正量の冷媒液が溜まっていないと判定することを特徴とする。
【００３２】
また本発明の構成は、
前記レシーバと前記蒸発器とを接続する配管中に介装されている液ガス熱交換器と、
前記配管のうちレシーバと前記液ガス熱交換器との間の位置から分岐して前記液ガス熱交換器を貫通してコンプレッサの低圧側に接続されていると共に、前記配管から分岐した位置と前記液ガス熱交換器を貫通する位置の間には分岐位置側に電磁弁が介装され液ガネ熱交換器側には電磁膨張弁が介装された液ガス熱交換管と、
前記レシーバのうち予め設定したレシーバ用設定高さ位置と、前記液ガス熱交換管のうち電磁弁と電磁膨張弁との間の位置とを接続すると共に、電磁弁が介装された液面高さ検出管と、
前記液ガス熱交換管のうち前記液ガス熱交換器よりもコンプレッサ低圧側に備えられて前記液ガス熱交換管を流れる冷媒の温度を検出する温度センサと、
前記コンプレッサの低圧側の冷媒ガスの温度を検出する圧力センサを有しており、
前記制御部は、前記レシーバに溜まっている冷媒液の液面高さが適正であるかどうかを判定する際には、液ガス熱交換管に介装した電磁弁を閉とし液面高さ検出管に介装した電磁弁を開とし、前記温度センサで検出した温度と、前記圧力センサで検出した圧力データを換算して得た圧力飽和温度との差である過熱度を求め、求めた過熱度が予め決めた設定過熱度になるように、前記電磁膨張弁の開度調整をし、電磁膨張弁の開度が全開にならない状態で且つ求めた過熱度が予め決めた設定過熱度になったら、レシーバに溜まっている冷媒液の液面高さがレシーバ用液面高さ設定位置以上であると判定し、電磁膨張弁の開度が全開になっても求めた過熱度が予め決めた設定過熱度にならなかったら、レシーバに溜まっている冷媒液の液面高さがレシーバ用液面高さ設定位置未満であると判定することを特徴とする。
【発明の効果】
【００３３】
本発明では、冷媒液排出手段によりアキュムレータに溜まった冷媒液を排出し、レシーバ用液面高さ検出手段によりアキュムレータに溜まっている冷媒液が排出されたことを検出してから、レシーバ用液面高さ検出手段によりレシーバ内に溜まった冷媒液の量を検出しているため、空気調和装置の冷暖房系に封入した冷媒の量が適正であるかどうかを正確に判定することができる。
【発明を実施するための最良の形態】
【００３４】
本発明の実施の形態では、アキュムレータとレシーバを有する空気調和装置において、コンプレッサの低圧部の加熱度を一定にして運転しているときに、冷暖房サイクルの全体の冷媒量（空気調和装置に封入した冷媒量）が適正になっているかどうかを判別するため、レシーバに溜まった冷媒液の液面高さが適正液位になっているかどうかを検出するに際して、次のような運転及び検知をする。
（１）アキュムレータに溜まっている冷媒液を排出する運転をする。このとき、コンプレッサ停止中にアキュムレータに溜まっている冷媒液を迅速に排出するようにする。ちなみに、アキュムレータに冷媒液が溜まっていると、レシーバに溜まった冷媒液の液面高さが適正液位になっていたとしても、過剰冷媒量になっている。
（２）アキュムレータに溜まっている冷媒液の液面高さを検知する。即ち、アキュムレータから冷媒液が排出できているかどうか（予め決めた設定量以下になっているかどうか）を判別する。
（３）レシーバに溜まった冷媒液の液面高さが適正であるか、または、冷媒液の過冷却度が適正であるかどうか検知する。
（４）上記（１）〜（３）が成立することにより、冷媒量が適正かどうか判別する。
【実施例１】
【００３５】
図１は本発明の実施例１に係る空気調和装置の要部を示す構成図である。なお、図５に示すものと同一部分には同一符号を付し重複する説明は省略する。また図示していない構成部分は、図５に示すものと同一であり、このような図示省略部分の構成の説明も省略する。
【００３６】
図１に示すように実施例１の空気調和装置は、
（１）アキュムレータ２１０に溜まった冷媒液を迅速に排出する冷媒液排出手段（ホットガスバイパス管１０、電磁弁１１、液抜き管１２、電磁弁１３により構成されている）と、
（２）アキュムレータ２１０に溜まった冷媒液の液面高さを検出するアキュムレータ用液面高さ検出手段（液面高さ検出管２０、電磁弁２１、キャピラリ２２、熱交換器２３、温度センサ２４，２５、圧力センサ２６により構成されている）と、
（３）レシーバ２０９に溜まった冷媒液の液面高さを検出するとともに冷媒液の過冷却度を検知するレシーバ用液面高さ検出手段（液ガス熱交換器３０、配管３１、液ガス熱交換管３２、電磁弁３３、キャピラリ３４、液面高さ検出管３５、電磁弁３６、温度センサ３７、圧力センサ３８により構成されている）と、
（４）制御部５０を有している。
【００３７】
冷媒液排出手段のホットガスバイパス管１０は、吐出管Ｌ１とアキュムレータ２１０の入口部とを接続しており、コンプレッサ２０１から吐出された高温・高圧の冷媒ガスを、アキュムレータ２１０に送る。このホットガスバイパス管１０には電磁弁１１が介装されている。
【００３８】
また液抜き管１２は、アキュムレータ２１０の底部と吸入管Ｌ２とを接続しており、アキュムレータ２１０に溜まった冷媒液を、アキュムレータ２１０からコンプレッサ２０１の低圧側に送る。この液抜き管１２には、電磁弁１３が介装さている。なお、液抜き管１２の径に対して配管Ｌ３の径は小さくなっている。
【００３９】
電磁弁１１，１３の開閉制御は制御部５０により行われる。即ち、制御部５０の制御により、通常の運転時には電磁弁１１，１３は閉じられているが、冷媒量が適正になっているかどうかを判別するときには電磁弁１１，１３は開かれる。
【００４０】
電磁弁１１を開くと、コンプレッサ２０１で発生しオイルセパレータ２０２から出た高温・高圧の冷媒ガスが、ホットガスバイパス管１０を通ってアキュムレータ２１０に入る。この冷媒ガスの熱により、アキュムレータ２１０内に溜まった冷媒液が蒸発し、蒸発した冷媒ガスが吸入管Ｌ２を介してコンプレッサ２０１側に送られる。
【００４１】
また電磁弁１３を開けると、アキュムレータ２１０に溜まっていた冷媒液が液抜き管１２を通ってコンプレッサ２０１に抜けていく。
【００４２】
このようにして、アキュムレータ２１０内に溜まった冷媒液が迅速に排出される。
【００４３】
アキュムレータ用液面高さ検出手段の液面高さ検出管２０は、アキュムレータ２１０のうち予め設定したアキュムレータ用設定高さ位置と、コンプレッサ２０１の低圧側（具体的には吸入管Ｌ２）とを接続する。この液面高さ検出管２０には電磁弁２１及びキャピラリ２２が介装されている。液面高さ検出管２０のうち、キャピラリ２２よりもアキュムレータ２１０側には、熱交換器２３を配置している。この熱交換器２３は、吐出管Ｌ１に流れる高温の冷媒ガスの熱を用いて、液面高さ検出管２０に流れる冷媒を加熱する機能を果たす。なお加熱源としては他の熱源を用いた熱交換器としてもよく、また、電気ヒータを用いても良い。
【００４４】
液面高さ検出管２０のうち熱交換器２３及びキャピラリ２２よりもコンプレッサ２０１側には、下流側の温度センサ２４が取り付けられており、液面高さ検出管２０のうち熱交換器２３よりもアキュムレータ２１０側には上流側の温度センサ２５が取り付けられている。温度センサ２４，２５は、液面高さ検出管２０に流れる冷媒の温度を検出する。
【００４５】
またコンプレッサ２０１の低圧側、具体的には吸入管Ｌ２には圧力センサ２６が備えられており、この圧力センサ２６は吸入管Ｌ２内の冷媒ガスの圧力（コンプレッサ２０１の低圧側における冷媒ガス圧力）を検出する。
【００４６】
電磁弁２１の開閉は制御部５０により行われ、また、温度センサ２４，２５及び圧力センサ２６により検出した検出値は、制御部５０に送られる。
【００４７】
制御部５０の制御により、通常の運転時には電磁弁２１は閉じられているが、アキュムレータ２１０に溜まった冷媒液の液面高さを検出するときには電磁弁２１は開かれる。
【００４８】
電磁弁２１が開かれたときに、アキュムレータ２１０内に溜まった冷媒液の液面高さが、液面高さ検出管２０がアキュムレータ２１０に接続している高さ位置（アキュムレータ用設定高さ位置）よりも高いときには、アキュムレータ２１０内に溜まった冷媒液は、液面高さ検出管２０を通ってコンプレッサ２０１側に流れる。このとき、流れていった冷媒液は、熱交換器２３により加熱される。
【００４９】
また、アキュムレータ２１０内に溜まった冷媒液の液面高さが、アキュムレータ用設定高さ位置よりも低い場合、または、アキュムレータ２１０内に冷媒液が溜まっていないときには、冷媒ガスが、液面高さ検出管２０を通ってコンプレッサ２０１側に流れる。このとき流れていった冷媒ガスは、熱交換器２３により加熱される。
【００５０】
制御部５０は、次の２つの手法（１）（２）のいずれかを用いることにより、アキュムレータ２１０に残っている冷媒液の液面高（冷媒液量）さが、アキュムレータ用設定高さ位置（設定量）以上であるか、アキュムレータ用設定高さ位置（設定量）未満であるかを判定する。
（１）温度センサ２４で検出した温度データと、圧力センサ２６で検出した圧力データを用いた手法。
（２）温度センサ２４と温度センサ２５で検出した温度データを用いた手法。
【００５１】
上記（１）の手法では、制御部５０は、温度センサ２４で検出した温度と、圧力センサ２６で検出した圧力データを換算して得た圧力飽和温度との差である加熱度を求める。
【００５２】
アキュムレータ２１０に残っている冷媒液の液面高さ（冷媒液量）が、アキュムレータ用設定高さ位置（設定量）以上であるときには、液面高さ検出管２０には冷媒液が流れるため、冷媒液は熱交換器２３にて加熱されても、上昇温度は低い。一方、アキュムレータ２１０に残っている冷媒液の液面高さ（冷媒液量）が、アキュムレータ用設定高さ位置（設定量）未満であるときには、液面高さ検出管２０には冷媒ガスが流れるため、冷媒ガスは熱交換器２３にて加熱されると、大きく温度上昇する。
【００５３】
このため、制御部５０は、求めた加熱度が予め設定した設定加熱度よりも小さいときには、液面高さ検出管２０には冷媒液が流れた、即ち、アキュムレータ２１０に残っている冷媒液の液面高さ（冷媒液量）が、アキュムレータ用設定高さ位置（設定量）以上であると判定することができる。
【００５４】
また制御部５０は、加熱度が予め設定した設定加熱度よりも大きいときには、液面高さ検出管２０には冷媒ガスが流れた、即ち、アキュムレータ２１０に残っている冷媒液の液面高さ（冷媒液量）が、アキュムレータ用設定高さ位置（設定量）未満であると判定することができる。
このときには、実質的に、アキュムレータ２１０から冷媒液が排出されていると判定する。このような実質的な判定ができるように、液面高さ検出管２０がアキュムレータ２１０に接続している「アキュムレータ用設定高さ位置」を低く設定すると共に、「設定加熱度」を最適温度に設定している。
【００５５】
上記（２）の手法では、制御部５０は、下流側の温度センサ２４で検出した温度と、上流側の温度センサ２５で検出した温度との差である加熱度を求める。
【００５６】
アキュムレータ２１０に残っている冷媒液の液面高さ（冷媒液量）が、アキュムレータ用設定高さ（設定量）以上であるときには、液面高さ検出管２０には冷媒液が流れるため、冷媒液は熱交換器２３にて加熱されても、上昇温度は低い。一方、アキュムレータ２１０に残っている冷媒液の液面高さ（冷媒液量）が、アキュムレータ用設定高さ（設定量）未満であるときには、液面高さ検出管２０には冷媒ガスが流れるため、冷媒ガスは熱交換器２３にて加熱されると、大きく温度上昇する。
【００５７】
このため、制御部５０は、加熱度が予め設定した設定加熱度よりも小さいときには、液面高さ検出管２０には冷媒液が流れた、即ち、アキュムレータ２１０に残っている冷媒液の液面高さ（冷媒液量）が、アキュムレータ用設定高さ（設定量）以上であると判定することができる。
【００５８】
また制御部５０は、加熱度が予め設定した設定加熱度よりも大きいときには、液面高さ検出管２０には冷媒ガスが流れた、即ち、アキュムレータ２１０に残っている冷媒液の液面高さ（冷媒液量）が、アキュムレータ用設定高さ（設定量）未満であると判定することができる。
このときには、実質的に、アキュムレータ２１０から冷媒液が排出されていると判定する。このような実質的な判定ができるように、液面高さ検出管２０がアキュムレータ２１０に接続している「アキュムレータ用設定高さ」と、「設定加熱度」を設定している。
【００５９】
レシーバ用液面高さ検出手段の液ガス熱交換器３０は、気液分離を行うレシーバ２０９と、蒸発器として機能する熱交換器（冷房時には熱交換器１０１がこれに相当する）とを接続する配管３１中に介装されている。
【００６０】
液ガス熱交換管３２は、配管３１のうちレシーバ２０９と液ガス熱交換器３０との間の位置から分岐し、液ガス熱交換器３０を貫通してからアキュムレータ２１０（つまりコンプレッサ２０１の低圧側に連通している部分）に接続されている。この液ガス熱交換管３２のうち、配管３１からの分岐位置と液ガス熱交換器３０との間の位置には、電磁弁３３とキャピラリ３４が介装されている。
【００６１】
液ガス熱交換器３０では、配管３１を介してレシーバ２０９から蒸発器側に送られる冷媒液を熱源として、液ガス熱交換管３２中に流れる冷媒を加熱する熱交換作用をする。このため、配管３１を介して液ガス熱交換器３０から蒸発器側に送られる冷媒は冷却され、液ガス熱交換管３２を通って送られる冷媒は加熱されて蒸発し冷媒ガスとなる。
【００６２】
レシーバ２０９に適正量の冷媒液が溜まっていて、レシーバ２０９から液ガス熱交換管３２に冷媒液が流れた場合には、配管３１を介して液ガス熱交換器３０から蒸発器側に送られる冷媒が冷却される度合い（温度）は大きい。一方、レシーバ２０９に適正量の冷媒液が溜まっておらず、レシーバ２０９から液ガス熱交換管３２に冷媒ガスが流れた場合には、配管３１を介して液ガス熱交換器３０から蒸発器側に送られる冷媒が冷却される度合い（温度）は小さい。
【００６３】
液面高さ検出管３５の一端は、レシーバ２０９のうち予め決めた高さ位置（レシーバ用設定高さ位置）に接続されており、液面高さ検出管３５の他端は、液ガス熱交換管３２のうち電磁弁３３とキャピラリ３４との間に接続されている。この液面高さ検出管３５には、電磁弁３６が介装されている。
【００６４】
配管３１のうち液ガス熱交換器３０よりも蒸発器側に備えられた温度センサ３７は、配管３１を介してレシーバ２０９から蒸発器側に送られる冷媒の温度を検出する。また吐出管Ｌ１に備えられた圧力センサ３８は、コンプレッサ２０１から吐出された高圧の冷媒ガスの圧力を検出する。
【００６５】
電磁弁３３，３６の開閉は制御部５０により行われ、また、温度センサ３７及び圧力センサ３８により検出した検出値は、制御部５０に送られる。
【００６６】
制御部５０は、冷房運転時には電磁弁３３を開とし電磁弁３６を閉とする。そして制御部５０は、温度センサ３７で検出した、配管３１を介して蒸発器側に送られる冷媒の温度と、圧力センサ３８で検出した圧力データを換算して得た圧力飽和温度との差から過冷却度を求める。このようにして求めた過冷却度が、予め決めた設定過冷却度範囲に入るときには、制御部５０は、レシーバ２０９に適正量の冷媒液が溜まっていると判定する。
【００６７】
即ち、レシーバ２０９に適正量の冷媒液が溜まっているときには、レシーバ２０９から液ガス熱交換管３２に冷媒液が流れるため、配管３１を介して液ガス熱交換器３０から蒸発器側に送られる冷媒は大きく冷却される。この状態のときの過冷却度が設定過冷却度範囲に入るように、この設定過冷却度範囲を設定している。
【００６８】
また制御部５０は、前述したようにして求めた過冷却度が、予め決めた設定過冷却度範囲に入らなかったら、レシーバ２０９に冷媒液が溜まっていない、即ち、適正な冷媒量でもって運転が行われていないと判定する。つまり、レシーバ２０９に適正量の冷媒液が溜まっていない、若しくは、冷媒が無い（フラッシュ状態となっている）場合には、レシーバ２０９から液ガス熱交換管３２に冷媒ガスが流れるため、配管３１を介して液ガス熱交換器３０から蒸発器側に送られる冷媒はさほど冷却されない。よって、求めた過冷却度を観察することにより、レシーバ２０９に適正量の冷媒液が溜まっていないと判定することができるのである。
【００６９】
次に制御部５０は、電磁弁３３を閉とし電磁弁３６を開とする。このとき、温度センサ３７で検出した、配管３１を介して蒸発器側に送られる冷媒の温度と、圧力センサ３８で検出した圧力データを換算して得た圧力飽和温度との差から過冷却度を求める。このようにして求めた過冷却度が、予め決めた設定過冷却度範囲に入るときには、制御部５０は、レシーバ２０９に溜まっている冷媒液の液面高さが、レシーバ２０９に液面高さ検出管３５が接続している位置よりも上方にあると判定する。
【００７０】
また制御部５０は、求めた過冷却度が、予め設定して設定過冷却度範囲に入らないときには、レシーバ２０９に溜まっている冷媒液の液面高さが、レシーバ２０９に液面高さ検出管３５が接続している位置よりも下方にあると判定する。
【００７１】
このようにして制御部５０は、レシーバ２０９に溜まっている冷媒液の液面高さ（量）の検出もすることができる。
【００７２】
上記構成となっている実施例１に係る空気調和装置では、次のような手順により制御動作をすることにより、冷暖房サイクルの全体の冷媒量が適正になっているどうかを判別する。
【００７３】
［１］制御部５０による制御の下に、冷媒液排出手段（ホットガスバイパス管１０、電磁弁１１、液抜き管１２、電磁弁１３により構成されている）の電磁弁１１，１３を開き、アキュムレータ２１０内に溜まっている冷媒液を排出する。
【００７４】
［２］制御部５０による制御の下に、アキュムレータ用液面高さ検出手段（液面高さ検出管２０、電磁弁２１、キャピラリ２２、熱交換器２３、温度センサ２４，２５、圧力センサ２６により構成されている）により、アキュムレータ２１０に溜まっている冷媒液の液面高さ位置を検出する。アキュムレータ２１０に溜まっている冷媒液の液面高さ位置が、アキュムレータよう設定高さ位置よりも低く、アキュムレータ２１０から冷媒液が排出されていると判別したときには、次の手順［３］に進む。
【００７５】
［３］制御部５０による制御の下に、レシーバ用液面高さ検出手段（液ガス熱交換器３０、配管３１、液ガス熱交換管３２、電磁弁３３、キャピラリ３４、液面高さ検出管３５、電磁弁３６、温度センサ３７、圧力センサ３８により構成されている）により、過冷却度を求め、求めた過冷却度が設定過冷却度範囲に入っている場合には、レシーバ２０９に溜まっている冷媒液の液面高さ位置が適正液位になっていること、即ち、冷暖房サイクルの全体の冷媒量が最適になっていることを判別する。
また冷媒量が最適になっていることを判別したら、制御部５０による制御の下に、レシーバ用液面高さ検出手段により、レシーバ２０９に溜まっている冷媒液の液面高さ（量）を検出する。
【００７６】
上述した手順［１］〜［３］の動作をすることにより、全体の冷媒量が適正になっているかどうかを判別することができる。
【実施例２】
【００７７】
図２は本発明の実施例２に係る空気調和装置のレシーバ用液面高さ検出手段を示す構成図である。
【００７８】
実施例２では、液面高さ検出管３５の一端は、レシーバ２０９のうち予め決めた高さ位置（第１のレシーバ用設定高さ位置）に接続されており、液面高さ検出管３５の他端は、液ガス熱交換管３２のうち電磁弁３３とキャピラリ３４との間に接続されている。この液面高さ検出管３５には、電磁弁３６が介装されている。
【００７９】
更に、液面高さ検出管３５ａの一端は、レシーバ２０９のうち予め決めた高さ位置（第２のレシーバ設定高さ位置）に接続されており、液面高さ検出管３５ａの他端は、液ガス熱交換管３２のうち電磁弁３３とキャピラリ３４との間に接続されている。この液面高さ検出管３５ａには、電磁弁３６ａが介装されている。
しかも、液面高さ検出管３５がレシーバ２０９に接続されている位置に対して、液面高さ検出管３５ａがレシーバ２０９に接続されている位置が上方になっている。
【００８０】
他の部分の構成は実施例１と同様である。
【００８１】
実施例２では、次のような制御動作をすることにより、レシーバ２０９に溜まっている冷媒液の液面高さをより詳しく判定することができる。
【００８２】
制御部５０は、電磁弁３３，３６ａを閉とし電磁弁３６を開とする。このとき、温度センサ３７で検出した、配管３１を介して蒸発器側に送られる冷媒の温度と、圧力センサ３８で検出した圧力データを換算して得た圧力飽和温度との差から過冷却度を求める。このようにして求めた過冷却度が、予め決めた設定過冷却度範囲に入るときには、制御部５０は、レシーバ２０９に溜まっている冷媒液の液面高さが、レシーバ２０９に液面高さ検出管３５が接続している位置よりも上方にあると判定する。
【００８３】
また制御部５０は、求めた過冷却度が、予め設定して設定過冷却度範囲に入らないときには、レシーバ２０９に溜まっている冷媒液の液面高さが、レシーバ２０９に液面高さ検出管３５が接続している位置よりも下方にあると判定する。
【００８４】
次に制御部５０は、電磁弁３３，３６を閉とし電磁弁３６ａを開とする。このとき、温度センサ３７で検出した、配管３１を介して蒸発器側に送られる冷媒の温度と、圧力センサ３８で検出した圧力データを換算して得た圧力飽和温度との差から過冷却度を求める。このようにして求めた過冷却度が、予め決めた設定過冷却度範囲に入るときには、制御部５０は、レシーバ２０９に溜まっている冷媒液の液面高さが、レシーバ２０９に液面高さ検出管３５ａが接続している位置よりも上方にあると判定する。
【００８５】
また制御部５０は、求めた過冷却度が、予め設定して設定過冷却度範囲に入らないときには、レシーバ２０９に溜まっている冷媒液の液面高さが、レシーバ２０９に液面高さ検出管３５ａが接続している位置よりも下方にあると判定する。
【００８６】
このようにして制御部５０は、レシーバ２０９に溜まっている冷媒液の液面高さ（量）をより詳しく検出することができる。
【実施例３】
【００８７】
図３は本発明の実施例３に係る空気調和装置のレシーバ用液面高さ検出手段を示す構成図である。
【００８８】
実施例１では、温度センサ３７と圧力センサ３８で求めたデータ（温度データと圧力データ）を基に過冷却度を求めているが、実施例３では、温度センサ３７と温度センサ３８で求めた温度データを基に過冷却度を求めるようにした。
【００８９】
つまり温度センサ３７は、配管３１のうち液ガス熱交換器３０よりも蒸発器側に備えられており、この温度センサ３７は、配管３１を介してレシーバ２０９から蒸発器側に送られる冷媒の温度を検出する。また温度センサ３８は、配管３１のうちレシーバ２０９と液ガス熱交換器３０との間に備えられており、この温度センサ３９は、配管３１を介してレシーバ２０９から液ガス熱交換器３０に送られる冷媒の温度を検出する。
【００９０】
他の部分の構成は実施例１と同様である。
【００９１】
制御部５０は、冷房運転時には電磁弁３３を開とし電磁弁３６を閉とする。そして制御部５０は、温度センサ３７で検出した、配管３１を介してレシーバ２０９から蒸発器側に送られる冷媒の温度と、温度センサ３９で検出した、配管３１を介してレシーバ２０９から液ガス熱交換器３０に送られる冷媒の温度との差から過冷却度を求める。このようにして求めた過冷却度が、予め決めた設定過冷却度範囲に入るときには、制御部５０は、レシーバ２０９に適正量の冷媒液が溜まっていると判定する。
【００９２】
また制御部５０は、前述したようにして求めた過冷却度が、予め決めた設定過冷却度範囲に入らなかったら、レシーバ２０９に冷媒液が溜まっていない、即ち、適正な冷媒量でもって運転が行われていないと判定する。
【００９３】
なお、温度センサ３７と温度センサ３８を用いる手法を、図２に示す実施例２に適用することもできる。
【実施例４】
【００９４】
図４は本発明の実施例４に係る空気調和装置のレシーバ用液面高さ検出手段を示す構成図である。
【００９５】
レシーバ用液面高さ検出手段の液ガス熱交換器３０は、気液分離を行うレシーバ２０９と、蒸発器として機能する熱交換器（冷房時には熱交換器１０１がこれに相当する）とを接続する配管３１中に介装されている。
【００９６】
液ガス熱交換管３２は、配管３１のうちレシーバ２０９と液ガス熱交換器３０との間の位置から分岐し、液ガス熱交換器３０を貫通してからアキュムレータ２１０（つまりコンプレッサ２０１の低圧部に連通している部分）に接続されている。この液ガス熱交換管３２のうち、配管３１からの分岐位置と液ガス熱交換器３０との間の位置には、電磁弁３３と電磁膨張弁３９キャピラリ３４が介装されている。電磁弁３３はレシーバ２０９側に、電磁膨張弁３９は液ガス熱交換器３０側に介装されている。
【００９７】
液ガス熱交換器３０では、配管３１を介してレシーバ２０９から蒸発器側に送られる冷媒液を熱源として、液ガス熱交換管３２中に流れる冷媒を加熱する熱交換作用をする。このため、配管３１を介して液ガス熱交換器３０から蒸発器側に送られる冷媒は冷却され、液ガス熱交換管３２を通って送られる冷媒は加熱されて蒸発し冷媒ガスとなる。
【００９８】
液面高さ検出管３５の一端は、レシーバ２０９のうち予め決めた高さ位置（レシーバ用設定高さ位置）に接続されており、液面高さ検出管３５の他端は、液ガス熱交換管３２のうち電磁弁３３と電磁膨張弁３９との間に接続されている。この液面高さ検出管３５には、電磁弁３６が介装されている。
【００９９】
液ガス熱交換管３２のうち液ガス熱交換器３０よりもアキュムレータ２１０側に備えれた温度センサ４０は、液ガス熱交換管３０にて加熱されて液ガス熱交換管３２によりアキュムレータ２１０に送られる冷媒の温度を検出する。
アキュムレータ４１の入口部に備えられた圧力センサ４１は、アキュムレータ２１０内の冷媒ガスの圧力を検出する。
【０１００】
電磁弁３３，３６の開閉及び電磁膨張弁３９の開度調整は制御部５０により行われ、また、温度センサ３７及び圧力センサ３８により検出した検出値は、制御部５０に送られる。また制御部５０は、電磁膨張弁３９の開度を検出している。
【０１０１】
制御部５０は、冷房運転時には電磁弁３３を開とし電磁弁３６を閉とする。そして制御部５０は、温度センサ４０で検出した、配管３２を介してアキュムレータ２１０側に送られる冷媒の温度と、圧力センサ４１で検出した圧力データを換算して得た圧力飽和温度との差から過熱度を求める。更に、このようにして求めた過熱度が、予め決めた設定過熱度になるように、制御部５０は、電磁膨張弁３９の開度を調整していく。
【０１０２】
このとき、電磁膨張弁３９の開度が全開にならない状態において、求めた過熱度が設定加熱度（例えば１０deg）になったら、制御部５０はレシーバ２０９に適正量の冷媒液が溜まっていると判定する。
【０１０３】
即ち、レシーバ２０９に適正量の冷媒液が溜まっているときには、電磁膨張弁３９には冷媒液が供給されるため、この電磁膨張弁３９により十分な冷媒ガスが発生するため、求めた加熱度が設定加熱度になるのである。
【０１０４】
また制御部５０は、電磁膨張弁３９の開度が全開になっても、求めた過熱度が設定加熱度（例えば１０deg）に達しない場合には、制御部５０はレシーバ２０９に適正量の冷媒液が溜まっていないと判定する。
【０１０５】
即ち、レシーバ２０９に適正量の冷媒液が溜まっていないときには、電磁膨張弁３９には冷媒液は供給されず冷媒ガスが供給されるため、この電磁膨張弁３９により十分な冷媒ガスは発生せず、求めた加熱度が設定加熱度に達しないのである。
【０１０６】
次に制御部５０は、電磁弁３３を閉とし電磁弁３６を開とする。このとき、電磁膨張弁３９の開度が全開にならない状態において、求めた過熱度が設定加熱度（例えば１０deg）になったら、制御部５０は、レシーバ２０９に溜まっている冷媒液の液面高さが、レシーバ２０９に液面高さ検出管３５が接続している位置よりも上方にあると判定する。
【０１０７】
また制御部５０は、電磁膨張弁３９の開度が全開になっても、求めた過熱度が設定加熱度（例えば１０deg）に達しない場合には、レシーバ２０９に液面高さ検出管３５が接続している位置よりも下方にあると判定する。
【０１０８】
このようにして制御部５０は、レシーバ２０９に溜まっている冷媒液の液面高さ（量）の検出もすることができる。
【図面の簡単な説明】
【０１０９】
【図１】本発明の実施例１に係る空気調和装置の要部を示す構成図である。
【図２】本発明の実施例２に係る空気調和装置の要部を示す構成図である。
【図３】本発明の実施例３に係る空気調和装置の要部を示す構成図である。
【図４】本発明の実施例４に係る空気調和装置の要部を示す構成図である。
【図５】アキュムレータとレシーバを備えた空気調和装置を示す構成図である。
【符号の説明】
【０１１０】
１０  ホットガスバイパス管
１１  電磁弁
１２  液抜き管
１３  電磁弁
２０  液面高さ検出管
２１  電磁弁
２２  キャピラリ
２３  熱交換器
２４  温度センサ
２５  温度センサ
２６  圧力センサ
３０  液ガス熱交換器
３１  配管
３２  液ガス熱交換管
３３  電磁弁
３４  キャピラリ
３５  液面高さ検出管
３６  電磁弁
３７  温度センサ
３８  圧力センサ
１００  室内機
２００  室外機
２０１  コンプレッサ
２０２  オイルセパレータ
２０３  キャピラリ
２０４  四方切換弁
１０５，２０５  熱交換器
１０４，２０７  膨張弁
２０９  レシーバ
２１０  アキュムレータ
【図１】
2005282885.tif 000003
【図２】
2005282885.tif 000004
【図３】
2005282885.tif 000005
【図４】
2005282885.tif 000006
【図５】
2005282885.tif 000007